(57)【要約】【課題】ロックアームに負荷を与えないパネル取付け形のコネクタを提供する。【解決手段】コネクタ１０は、パネル６の前面６１に取り付ける第１ハウジング１を備える。パネル６は、第１ハウジング１の後部１２が挿入される取付け開口６０を有する。第１ハウジング１の後部１２は、パネル６の前面６１と平行する方向に延びる第１ランス１ｆを有する。取付け開口６０は、第１ランス１ｆが挿入される凹部６ｆを有する。パネル６の前面６１に沿って第１ハウジング１を一方の方向に移動すると、凹部６ｆに連続する係止片６１ｆは、第１ハウジング１を他方の方向に移動困難に、第１ランス１ｆの先端部を係止する。【選択図】図１
2010231905.tif 000002
【特許請求の範囲】
【請求項１】
パネルの前面に取り付ける前面取付け形の第１ハウジングを備える角形の電気コネクタであって、
前記パネルは、前記第１ハウジングの後部が当該パネルの前面と略直交する方向から挿入される矩形状の取付け開口を有し、
前記第１ハウジングの後部は、
前記取付け開口の前面の周縁に当接する第１段差と、
この第１段差に隣接して配置し、基端部が当該第１ハウジングの一方の外壁と結合し、先端部が当該一方の外壁と離間して前記パネルの前面と平行する方向に延びる第１ランスと、
前記第１段差に対向して当該第１ハウジングの周囲に断続して配置する複数の第１フランジと、を有し、
前記取付け開口は、
前記パネルの板厚面に向かって切り欠かれて、前記第１ランス及び複数の前記第１フランジが挿入される複数の凹部と、
前記パネルの前面に沿って前記第１ハウジングを一方の方向に移動すると、複数の前記第１フランジが後面に当接する複数の凸部と、を有し、
複数の前記凸部は、前記パネルの前面に沿って前記第１ハウジングを一方の方向に移動すると、当該第１ハウジングを他方の方向に移動困難に当該第１ランスの先端部を係止する係止片を含む電気コネクタ。
【請求項２】
前記第１ハウジングの後部は、前記パネルの板厚に対応する階段状の段差部を前記第１段差と複数の前記第１フランジとの間に有し、
前記取付け開口は、前記パネルの板厚に対応して開口形状を異ならせる請求項１記載の電気コネクタ。
【請求項３】
パネルの後面から前面に向けて取り付ける後面取付け形の第２ハウジングを備える角形の電気コネクタであって、
前記パネルは、前記第２ハウジングの前部が当該パネルの後面と略直交する方向から挿入される矩形状の取付け開口を有し、
前記第２ハウジングの前部は、
前記取付け開口の後面の周縁に当接する第２段差と、
この第２段差に隣接して配置し、基端部が当該第２ハウジングの一方の外壁と結合し、先端部が当該一方の外壁と離間して前記パネルの後面と平行する方向に延びる第２ランスと、
前記第２段差に対向して当該第２ハウジングの周囲に断続して配置する複数の第２フランジと、を有し、
前記取付け開口は、
前記パネルの板厚面に向かって切り欠かれて、前記第２ランス及び複数の前記第２フランジが挿入される複数の凹部と、
前記パネルの後面に沿って前記第２ハウジングを一方の方向に移動すると、複数の前記第２フランジが前面に当接する複数の凸部と、を有し、
複数の前記凸部は、前記パネルの後面に沿って前記第２ハウジングを一方の方向に移動すると、当該第２ハウジングを他方の方向に移動困難に当該第２ランスの先端部を係止する係止片を含む電気コネクタ。
【請求項４】
前記第２ハウジングの前部は、前記パネルの板厚に対応する階段状の段差部を前記第２段差と複数の前記第２フランジとの間に有し、
前記取付け開口は、前記パネルの板厚に対応して開口形状を異ならせる請求項３記載の電気コネクタ。
【請求項５】
請求項１又は２記載の第１ハウジングの後部、及び請求項３又は４記載の第２ハウジングの前部を有する第３ハウジングを備える電気コネクタ。
【請求項６】
前記取付け開口の端部に一部が挿入されるブロックキーであって、前記パネルに対して請求項１から５のいずれかに記載の電気コネクタを移動困難に保持するブロックキーを備える電気コネクタ。
【発明の詳細な説明】
【技術分野】
【０００１】
本発明は、電気コネクタに関する。特に、ボード、パネル、フレームなどに取り付けられるパネル取付け形の電気コネクタ（以下、コネクタと略称する）の構造に関する。
【背景技術】
【０００２】
一般に、パネル取付け形のコネクタは、矩形の結合面を有する角形コネクタが知られている。例えば、このような角形コネクタは、ハウジングの両翼に一対の片持ち梁状のロックアームを備えている。そして、パネルに設けられた矩形の開口にハウジングを挿入すると、一対のロックアームがパネルの開口に係止してコネクタが固定されるように構成されている。
【０００３】
従来技術によるパネル取付け形のコネクタは、ロックアームの先端部が開放されているために、相手側コネクタの挿抜動作により、ロックアームの基端部に負荷がかかるという不具合があった。一方、ロックアームの基端部を強固にすると、パネルの開口に挿入することが困難になるという不具合があった。
【０００４】
このような不具合を解消するため、ロックアームの先端部とハウジングとを繋ぐ可撓連絡部を設けたパネル取付け形のコネクタが開示されている（例えば、特許文献１参照）。
【０００５】
図２０は、特許文献１に開示されたパネル取付け形のコネクタの外観を示す斜視図である。本願の図２０は、特許文献１の図１に相当している。
【０００６】
図２０を参照すると、コネクタ８は、ハウジング８０の両側面８１・８１に一対のロックアーム８２・８２を備えている。ロックアーム８２の基端部は、側面８１に結合している。そして、ロックアーム８２は、外側に開くように、傾斜して配置されている。
【０００７】
一方、図２０を参照すると、パネル９は、ハウジング８０が挿入される矩形の開口９１を設けている。開口９１は、その両翼に切り欠かれた一対の凹部９２・９２を設けている。一対の凹部９２・９２に一対のロックアーム８２・８２を挿入できる。そして、コネクタ８を開口９１に挿入すると、一対のロックアーム８２・８２を内側に閉じるように変形できる。
【０００８】
図２０を参照すると、ロックアーム８２の先端部には、階段状の段部８３を設けている。更に、ロックアーム８２の上端部は、比較的薄く容易に撓む可撓連絡部８７によって、ハウジング８０の側面８１と繋がっている。又、ハウジング８０の側縁には、パネル９の裏面に当接する一対の鍔部８４・８４を突出している。
【０００９】
図２０において、コネクタ８をパネル９に挿入すると、一対の段部８３・８３が凹部９２・９２との弾圧力によって、コネクタ８が固定される。
【００１０】
特許文献１に開示されたコネクタ８は、相手側コネクタとの挿抜によってロックアーム８２に負荷がかかったとしても、可撓連絡部８７で補強されているので、ロックアーム８２が不要に曲がる虞がない、としている。
【先行技術文献】
【特許文献】
【００１１】
【特許文献１】実開昭６３−１４５２７９号公報
【発明の概要】
【発明が解決しようとする課題】
【００１２】
しかしながら、特許文献１によるコネクタは、その両翼に一対のロックアームを備えているので、コネクタの外形を大きくしている、という問題がある。
【００１３】
又、特許文献１によるコネクタは、一対のロックアームが可撓連絡部で補強されているが、相手側コネクタとの挿抜によってロックアームの基端部に負荷がかかる構成となっており、相手側コネクタとの挿抜を繰り返すと、ロックアームの基端部が疲労してくる、という問題がある。
【００１４】
パネルに固定するためのロックアームを備えるパネル取付け形のコネクタであって、その外形を大きくすることなく、かつ相手側コネクタとの挿抜によって、ロックアームに負荷を与えることを困難とするコネクタが求められている。そして、以上のことが本発明の課題といってよい。
【００１５】
本発明は、このような問題に鑑みてなされたものであり、外形を大きくすることなく、かつ相手側コネクタとの挿抜によって、ロックアームに負荷を与えることを困難とするパネル取付け形のコネクタを提供することを目的とする。
【課題を解決するための手段】
【００１６】
発明者らは、上記目的を達成するため、ハウジングをパネルに係止するためのランスを相手側コネクタの挿抜方向と直交する方向に配置することにより、上記の課題が解決可能なことを見出し、これに基づいて、以下のような新たなパネル取付け形のコネクタを発明するに至った。
【００１７】
（１）  パネルの前面に取り付ける前面取付け形の第１ハウジングを備える角形の電気コネクタであって、前記パネルは、前記第１ハウジングの後部が当該パネルの前面と略直交する方向から挿入される矩形状の取付け開口を有し、前記第１ハウジングの後部は、前記取付け開口の前面の周縁に当接する第１段差と、この第１段差に隣接して配置し、基端部が当該第１ハウジングの一方の外壁と結合し、先端部が当該一方の外壁と離間して前記パネルの前面と平行する方向に延びる第１ランスと、前記第１段差に対向して当該第１ハウジングの周囲に断続して配置する複数の第１フランジと、を有し、前記取付け開口は、前記パネルの板厚面に向かって切り欠かれて、前記第１ランス及び複数の前記第１フランジが挿入される複数の凹部と、前記パネルの前面に沿って前記第１ハウジングを一方の方向に移動すると、複数の前記第１フランジが後面に当接する複数の凸部と、を有し、複数の前記凸部は、前記パネルの前面に沿って前記第１ハウジングを一方の方向に移動すると、当該第１ハウジングを他方の方向に移動困難に当該第１ランスの先端部を係止する係止片を含む電気コネクタ。
【００１８】
（１）の発明による電気コネクタは、パネルの前面に取り付ける前面取付け形の第１ハウジングを備える角形の電気コネクタであって、パネルは、矩形状の取付け開口を有している。そして、取付け開口には、第１ハウジングの後部がパネルの前面と略直交する方向から挿入される。
【００１９】
第１ハウジングの後部は、第１段差、第１ランス、及び第１フランジを有している。第１段差は、取付け開口の前面の周縁に当接する。第１ランスは、第１段差に隣接して配置している。第１ランスの基端部は、第１ハウジングの一方の外壁と結合している。第１ランスの先端部は、一方の外壁と離間して、パネルの前面と平行する方向に延びている。複数の第１フランジは、第１段差に対向しており、第１ハウジングの周囲に断続して配置している。
【００２０】
取付け開口は、複数の凹部と複数の凸部を有している。複数の凹部は、パネルの板厚面に向かって切り欠かれており、第１ランス及び複数の第１フランジが挿入される。パネルの前面に沿って第１ハウジングを一方の方向に移動すると、複数の凸部は、複数の第１フランジが後面に当接する。
【００２１】
そして、複数の凸部は、係止片を含んでいる。パネルの前面に沿って第１ハウジングを一方の方向に移動すると、係止片は、第１ハウジングを他方の方向に移動困難に、第１ランスの先端部を係止する。
【００２２】
角形の電気コネクタは、基本的に矩形であって、相手側の電気コネクタと結合する矩形の結合面を有している。前面取付け形の第１ハウジングは、パネルの前面（外側）に取付けられてよく、パネルの前面側からのみ取付け又は取り外しができる。前面取付け形の第１ハウジングは、第１段差の後部がパネルの後面側に突出している。
【００２３】
パネルは、ボード、フレームなど所定の面積を有する平板を総称しており、本発明による電気コネクタが取付けられる被取付け体は、パネルの名称に限定されない。
【００２４】
第１ハウジングは絶縁性を有してよく、絶縁性の第１ハウジングとは、非導電性の材料からなるハウジングのことであってよく、合成樹脂を成形して、所望の形状の絶縁性のハウジングを得ることができる。
【００２５】
電気コネクタは、プラグであってもよく、リセプタクルであってもよい。第１ハウジングには、雄コンタクトが実装されてもよく、雌コンタクトが実装されてもよい。コンタクトは、電線の端末を圧着する圧着コンタクトであってよく、電線の端末を圧接する圧接コンタクトであってもよい。第１ハウジングには、電源用コンタクトと信号用コンタクトが並存してもよく、電気コネクタをハイブリッドコネクタとすることができる。
【００２６】
（１）の発明による電気コネクタは、第１ハウジングの後部をパネルの前面と略直交する方向から取付け開口に挿入すると、第１段差が取付け開口の前面の周縁に当接して、停止できる。そして、この状態では、第１ランスは、取付け開口の板厚面に対向している。
【００２７】
第１段差と複数の第１フランジとは、取付け開口の周縁の両面を挟持しており、第１ハウジングをパネルの前面に沿って一方の方向に移動すると、第１ランスの先端部が係止片に押し下げられて、係止片を乗り越えていく。
【００２８】
そして、第１ランスの先端部が係止片を完全に乗り越えて、第１ハウジングが取付け開口の端面に当接して停止すると、第１ランスの先端部が復帰して、係止片に係止するので、第１ハウジングを他方の方向に移動困難に係止できる。
【００２９】
このように、（１）の発明による電気コネクタは、従来のコネクタのように、その両翼に一対のロックアームを備えていないので、外形を小さくすることができる。
【００３０】
又、（１）の発明による電気コネクタは、第１ハウジングをパネルに係止するためのランスを相手側コネクタの挿抜方向と直交する方向に配置することにより、ランスに負荷を与えることを防止できる。
【００３１】
（２）  前記第１ハウジングの後部は、前記パネルの板厚に対応する階段状の段差部を前記第１段差と複数の前記第１フランジとの間に有し、前記取付け開口は、前記パネルの板厚に対応して開口形状を異ならせる（１）記載の電気コネクタ。
【００３２】
（２）の発明による電気コネクタは、パネルの板厚に対応して、取付け開口の開口形状を異ならせることにより、板厚の異なるパネルに対して第１ハウジングを共用できる。
【００３３】
（３）  パネルの後面から前面に向けて取り付ける後面取付け形の第２ハウジングを備える角形の電気コネクタであって、前記パネルは、前記第２ハウジングの前部が当該パネルの後面と略直交する方向から挿入される矩形状の取付け開口を有し、前記第２ハウジングの前部は、前記取付け開口の後面の周縁に当接する第２段差と、この第２段差に隣接して配置し、基端部が当該第２ハウジングの一方の外壁と結合し、先端部が当該一方の外壁と離間して前記パネルの後面と平行する方向に延びる第２ランスと、前記第２段差に対向して当該第２ハウジングの周囲に断続して配置する複数の第２フランジと、を有し、前記取付け開口は、前記パネルの板厚面に向かって切り欠かれて、前記第２ランス及び複数の前記第２フランジが挿入される複数の凹部と、前記パネルの後面に沿って前記第２ハウジングを一方の方向に移動すると、複数の前記第２フランジが前面に当接する複数の凸部と、を有し、複数の前記凸部は、前記パネルの後面に沿って前記第２ハウジングを一方の方向に移動すると、当該第２ハウジングを他方の方向に移動困難に当該第２ランスの先端部を係止する係止片を含む電気コネクタ。
【００３４】
（３）の発明による電気コネクタは、パネルの後面から前面に向けて取り付ける後面取付け形の第２ハウジングを備える角形の電気コネクタであって、パネルは、矩形状の取付け開口を有している。そして、取付け開口には、第２ハウジングの前部がパネルの後面と略直交する方向から挿入される。
【００３５】
第２ハウジングの前部は、第２段差、第２ランス、及び第２フランジを有している。第２段差は、取付け開口の後面の周縁に当接する。第２ランスは、第２段差に隣接して配置している。第２ランスの基端部は、第２ハウジングの一方の外壁と結合している。第２ランスの先端部は、一方の外壁と離間して、パネルの前面と平行する方向に延びている。複数の第２フランジは、第２段差に対向しており、第２ハウジングの周囲に断続して配置している。
【００３６】
取付け開口は、複数の凹部と複数の凸部を有している。複数の凹部は、パネルの板厚面に向かって切り欠かれており、第２ランス及び複数の第２フランジが挿入される。パネルの後面に沿って第２ハウジングを一方の方向に移動すると、複数の凸部は、複数の第２フランジが前面に当接する。
【００３７】
そして、複数の凸部は、係止片を含んでいる。パネルの後面に沿って第２ハウジングを一方の方向に移動すると、係止片は、第２ハウジングを他方の方向に移動困難に、第２ランスの先端部を係止する。
【００３８】
後面取付け形の第２ハウジングは、パネルの後面（内側）に取付けられてよく、パネルの後面側からのみ取付け又は取り外しができる。後面取付け形の第２ハウジングは、第２段差の前部がパネルの前面側に突出している。
【００３９】
第２ハウジングは絶縁性を有してよく、絶縁性の第２ハウジングとは、非導電性の材料からなるハウジングのことであってよく、合成樹脂を成形して、所望の形状の絶縁性のハウジングを得ることができる。
【００４０】
電気コネクタは、プラグであってもよく、リセプタクルであってもよい。第２ハウジングには、雄コンタクトが実装されてもよく、雌コンタクトが実装されてもよい。コンタクトは、電線の端末を圧着する圧着コンタクトであってよく、電線の端末を圧接する圧接コンタクトであってもよい。第２ハウジングには、電源用コンタクトと信号用コンタクトが並存してもよく、電気コネクタをハイブリッドコネクタとすることができる。
【００４１】
（３）の発明による電気コネクタは、第２ハウジングの後部をパネルの後面と略直交する方向から取付け開口に挿入すると、第２段差が取付け開口の後面の周縁に当接して、停止できる。そして、この状態では、第２ランスは、取付け開口の板厚面に対向している。
【００４２】
第２段差と複数の第２フランジとは、取付け開口の周縁の両面を挟持しており、第２ハウジングをパネルの後面に沿って一方の方向に移動すると、第２ランスの先端部が係止片に押し下げられて、係止片を乗り越えていく。
【００４３】
そして、第２ランスの先端部が係止片を完全に乗り越えて、第２ハウジングが取付け開口の端面に当接して停止すると、第２ランスの先端部が復帰して、係止片に係止するので、第２ハウジングを他方の方向に移動困難に係止できる。
【００４４】
このように、（３）の発明による電気コネクタは、従来のコネクタのように、その両翼に一対のロックアームを備えていないので、外形を小さくすることができる。
【００４５】
又、（３）の発明による電気コネクタは、ハウジングをパネルに係止するためのランスを相手側コネクタの挿抜方向と直交する方向に配置することにより、ランスに負荷を与えることを防止できる。
【００４６】
（４）  前記第２ハウジングの前部は、前記パネルの板厚に対応する階段状の段差部を前記第２段差と複数の前記第２フランジとの間に有し、前記取付け開口は、前記パネルの板厚に対応して開口形状を異ならせる（３）記載の電気コネクタ。
【００４７】
（４）の発明による電気コネクタは、パネルの板厚に対応して、取付け開口の開口形状を異ならせることにより、板厚の異なるパネルに対して第２ハウジングを共用できる。
【００４８】
（５）  （１）又は（２）記載の第１ハウジングの後部、及び（３）又は（４）記載の第２ハウジングの前部を有する第３ハウジングを備える電気コネクタ。
【００４９】
（５）の発明による電気コネクタは、第３ハウジングがパネルの前面（外側）に取付けられてもよく、第３ハウジングがパネルの後面（内側）に取付けられてもよく、パネルへの取付け方向が限定されないというメリットがある。
【００５０】
又、（５）の発明による電気コネクタは、パネルの板厚に対応して、取付け開口の開口形状を異ならせることにより、板厚の異なるパネルに対して第３ハウジングを共用できる。
【００５１】
（６）  前記取付け開口の端部に一部が挿入されるブロックキーであって、前記パネルに対して（１）から（５）のいずれかに記載の電気コネクタを移動困難に保持するブロックキーを備える電気コネクタ。
【００５２】
（６）の発明による電気コネクタは、取付け開口の端部に一部が挿入されるブロックキーを備えるので、パネルに対して電気コネクタを確実に保持できる。
【発明の効果】
【００５３】
本発明による電気コネクタは、従来のコネクタのように、その両翼に一対のロックアームを備えていないので、外形を小さくすることができる。又、本発明による電気コネクタは、ハウジングをパネルに係止するためのランスを相手側コネクタの挿抜方向と直交する方向に配置することにより、ランスに負荷を与えることを防止できる。
【００５４】
更に、本発明による電気コネクタは、パネルの板厚に対応して、取付け開口の開口形状を異ならせることにより、板厚の異なるパネルに対してハウジングを共用できる。
【図面の簡単な説明】
【００５５】
【図１】本発明の第１実施形態による電気コネクタに備わる第１ハウジングの外観を示す斜視図であり、板厚の厚いパネルを対向配置した状態図である。
【図２】前記第１ハウジングの外観を示す斜視図であり、板厚の厚いパネルに第１ハウジングを前面から取り付けた状態図である。
【図３】前記第１ハウジングの外観を示す斜視図であり、板厚の薄いパネルを対向配置した状態図である。
【図４】前記第１ハウジングの外観を示す斜視図であり、板厚の薄いパネルに第１ハウジングを前面から取り付けた状態図である。
【図５】本発明の第１実施形態による電気コネクタの外観を略平面側から観た斜視図である。
【図６】図５の要部拡大図であり、図６（Ａ）は、図５の左側の要部拡大図、図６（Ｂ）は、図５の右側の要部拡大図である。
【図７】前記第１ハウジングの背面図である。
【図８】前記第１ハウジングの縦断面図であり、図５のＸ−Ｘ矢視図である。
【図９】前記第１ハウジングの下面図である。
【図１０】前記第１ハウジングの縦断面図であり、図９のＹ−Ｙ矢視図である。
【図１１】板厚の厚いパネルのカットレイアウトを示す平面図であり、板厚の厚いパネルを後面側から観ている。
【図１２】図１１に示された板厚の厚いパネルに第１ハウジングを挿入した状態図であり、第１ハウジングを背面側から観ている。
【図１３】図１２に示された第１ハウジングを一方の方向に移動した状態図であり、第１ハウジングを背面側から観ている。
【図１４】板厚の薄いパネルのカットレイアウトを示す平面図であり、板厚の薄いパネルを後面側から観ている。
【図１５】図１４に示された板厚の薄いパネルに第１ハウジングを挿入した状態図であり、第１ハウジングを背面側から観ている。
【図１６】図１５に示された第１ハウジングを一方の方向に移動した状態図であり、第１ハウジングを背面側から観ている。
【図１７】本発明の第２又は第３実施形態による電気コネクタに備わる第２又は第３ハウジングの外観を示す斜視図であり、板厚の厚いパネルを対向配置した状態図である。
【図１８】前記第２又は前記第３ハウジングの外観を示す斜視図であり、板厚の薄いパネルを対向配置した状態図である。
【図１９】前記第２又は前記第３ハウジングの外観を略下面側から観た斜視図である。
【図２０】従来技術によるコネクタの外観を示す斜視図である。
【発明を実施するための形態】
【００５６】
以下、図面を参照して本発明を実施するための形態を説明する。
【００５７】
［第１実施形態］
最初に、本発明の第１実施形態による電気コネクタ（以下、コネクタと略称する）の構成を説明する。図１は、本発明の第１実施形態による電気コネクタに備わる第１ハウジングの外観を示す斜視図であり、板厚の厚いパネルを対向配置した状態図である。図２は、第１ハウジングの外観を示す斜視図であり、板厚の厚いパネルに第１ハウジングを前面から取り付けた状態図である。
【００５８】
図３は、第１ハウジングの外観を示す斜視図であり、板厚の薄いパネルを対向配置した状態図である。図４は、第１ハウジングの外観を示す斜視図であり、板厚の薄いパネルに第１ハウジングを前面から取り付けた状態図である。
【００５９】
図５は、本発明の第１実施形態による電気コネクタの外観を略平面側から観た斜視図である。図６は、図５の要部拡大図であり、図６（Ａ）は、図５の左側の要部拡大図、図６（Ｂ）は、図５の右側の要部拡大図である。図７は、第１ハウジングの背面図である。図８は、第１ハウジングの縦断面図であり、図５のＸ−Ｘ矢視図である。図９は、第１ハウジングの下面図である。図１０は、第１ハウジングの縦断面図であり、図９のＹ−Ｙ矢視図である。
【００６０】
図１又は図２を参照すると、本発明の第１実施形態によるコネクタ１０は、板厚の厚いパネル６の前面６１に取り付ける前面取付け形の第１ハウジング１を備えている。図３又は図４を参照すると、第１ハウジング１は、板厚の薄いパネル７の前面７１に取り付けることもできる。
【００６１】
図５を参照すると、第１実施形態によるコネクタ１０は、プラグを示している。コネクタ１０は、複数の電源用コンタクト９１ｐが一方のキャビティに実装され、複数の信号用コンタクト９２ｐを配列するユニット９０が他方のキャビティに実装されたハイブリッドコネクタとなっている。コネクタ１０の前部１１には、相手側コネクタ（図示せず）が挿抜される（図２又は図４参照）。
【００６２】
図１又は図２を参照すると、パネル６は、矩形状の取付け開口６０を有している。取付け開口６０には、第１ハウジング１の後部１２がパネル６の前面６１と略直交する方向から挿入される。
【００６３】
図３又は図４を参照すると、パネル７は、矩形状の取付け開口７０を有している。取付け開口７０には、第１ハウジング１の後部１２がパネル７の前面７１と略直交する方向から挿入される。
【００６４】
図１を参照すると、第１ハウジング１の後部１２は、取付け開口６０の前面６１の周縁に当接する第１段差１ｅを有している。図３を参照すると、第１段差１ｅは、取付け開口７０の前面７１の周縁に当接できる。
【００６５】
図１又は図３を参照すると、第１ハウジング１の前部１１と後部１２とは、第１段差１ｅを境界としている。第１段差１ｅは、前部１１の外壁に対して、後部１２の外壁が低くなっている。
【００６６】
図１を参照すると、第１ハウジング１の後部１２は、第１ランス１ｆを有している。第１ランス１ｆは、第１段差１ｅに隣接して配置されている。第１ランス１ｆの基端部は、第１ハウジング１の一方の外壁１ａと結合している。第１ランス１ｆの先端部は、一方の外壁１ａと離間して、パネル６の前面６１と平行する方向に延びている。又、第１ランス１ｆの先端部は、一方の外壁１ａと離間して、パネル７の前面７１と平行する方向に延びている（図３参照）。
【００６７】
図１又は図３を参照すると、第１ハウジング１の一方の外壁１ａには、第１段差１ｅに向かって伸長する一組のリブ１ｇ・１ｈを設けている。一組のリブ１ｇ・１ｈは、それらの端面１１ｇ・１１ｈが第１段差１ｅに対向する第１フランジの一部を構成している。
【００６８】
又、図９を参照すると、第１ハウジング１の他方の外壁１ｂには、第１段差１ｅに向かって伸長する一組のリブ１ｊ・１ｋを設けている。一組のリブ１ｊ・１ｋは、それらの端面１１ｊ・１１ｋが第１段差１ｅに対向する第１フランジの一部を構成している。
【００６９】
更に、図１又は図３を参照すると、第１ハウジング１の一方の側壁１ｃには、外側に突出する一対の突片１ｍ・１ｎを設けている。図６（Ａ）を参照すると、突片１ｍは、その端面１１ｍが第１段差１ｅに対向する第１フランジの一部を構成している。
【００７０】
図７を参照すると、リブ１ｇ・１ｈ及びリブ１ｊ・１ｋ、及び突片１ｍで構成された複数の第１フランジは、第１段差１ｅに対向しており、第１ハウジング１の周囲に断続して配置されている。
【００７１】
図１を参照すると、第１フランジの端面と第１段差１ｅの対向距離Ｓ１は、パネル６の板厚ｔ１より僅かに広くなっている。
【００７２】
図１を参照すると、取付け開口６０は、第１ランス１ｆが挿入される凹部６ｆを有している。又、取付け開口６０は、一組のリブ１ｇ・１ｈが挿入される凹部６ｇ・６ｈを有している。更に、取付け開口６０は、突片１ｍが挿入される凹部６ｍを有している。そして、これらの凹部６ｆ・６ｇ・６ｈ・６ｍは、パネル６の板厚面に向かって切り欠かれている。
【００７３】
図１及び図９を参照すると、取付け開口６０は、一組のリブ１ｊ・１ｋが挿入される凹部６ｊ・６ｋを有している。そして、これらの凹部６ｊ・６ｋは、パネル６の板厚面に向かって切り欠かれている。
【００７４】
図１及び図２を参照して、取付け開口６０は、パネル６の前面６１に沿って第１ハウジング１を一方の方向に移動すると、一組のリブ１ｇ・１ｈの端面１１ｇ・１１ｈが後面６２に当接する一組の凸部６１ｇ・６１ｈを有している。凸部６１ｇ・６１ｈは、それぞれ、凹部６ｇ・６ｈに連続している。
【００７５】
図１及び図２を参照して、取付け開口６０は、パネル６の前面６１に沿って第２ハウジング２を一方の方向に移動すると、突片１ｍの端面１１ｍが後面６２に当接する凸部６１ｍを有している。凸部６１ｍは、凹部６ｍに連続している。
【００７６】
図１、図２及び図９を参照して、取付け開口６０は、パネル６の前面６１に沿って第１ハウジング１を一方の方向に移動すると、一組のリブ１ｊ・１ｋの端面１１ｊ・１１ｋが後面６２に当接する一組の凸部６１ｊ・６１ｋを有している。凸部６１ｊ・６１ｋは、それぞれ、凹部６ｊ・６ｋに連続している。
【００７７】
図１及び図２を参照して、取付け開口６０は、パネル６の前面６１に沿って第１ハウジング１を一方の方向に移動すると、第１ランス１ｆの先端部を係止する係止片６１ｆを有している。係止片６１ｆは、凹部６ｆに連続する凸部になっている。
【００７８】
図３、図４及び図６を参照すると、第１ハウジング１の後部１２は、板厚の薄いパネル７に対応する一組の段差部１ｐ・１ｑを有している。段差部１ｐは、リブ１ｇの端面１１ｇより階段状に一段低くなっている。段差部１ｑは、突片１ｍの端面１１ｍより階段状に一段低くなっている。
【００７９】
図６を参照すると、一組の段差部１ｐ・１ｑは、第１段差１ｅに対向している。一組の段差部１ｐ・１ｑと第１段差１ｅの対向距離Ｓ２は、パネル７の板厚ｔ２より僅かに広くなっている（図３又は図４参照）。
【００８０】
図３、図４及び図９を参照すると、第１ハウジング１の後部１２は、板厚の薄いパネル７に対応する一組の段差部１ｒ・１ｓを有している。段差部１ｒは、リブ１ｊの端面１１ｊより階段状に一段低くなっている。段差部１ｓは、突片１ｎの端面１１ｎより階段状に一段低くなっている。
【００８１】
図９を参照すると、一組の段差部１ｒ・１ｓは、第１段差１ｅに対向している。一組の段差部１ｒ・１ｓと第１段差１ｅの対向距離Ｓ２は、パネル７の板厚ｔ２より僅かに広くなっている（図３又は図４参照）。
【００８２】
図３を参照すると、取付け開口７０は、第１ランス１ｆが挿入される凹部７ｆを有している。又、取付け開口７０は、一組のリブ１ｇ・１ｈが挿入される凹部７ｇ・７ｈを有している。そして、これらの凹部７ｆ・７ｇ・７ｈは、パネル７の板厚面に向かって切り欠かれている。
【００８３】
図３、図４及び図６を参照して、取付け開口７０は、パネル７の前面７１に沿って第１ハウジング１を一方の方向に移動すると、一組の段差部１ｐ・１ｑが後面７２に当接する一組の凸部７１ｐ・７１ｑを有している。一組の凸部７１ｐ・７１ｑは、それぞれ、凹部７ｇ・７ｈに連続している。
【００８４】
図３及び図９を参照すると、取付け開口７０は、一組のリブ１ｊ・１ｋが挿入される凹部７ｊ・７ｋを有している。又、取付け開口７０は、突片１ｍが挿入される凹部７ｍを有している。そして、これらの凹部７ｊ・７ｋ・７ｍは、パネル７の板厚面に向かって切り欠かれている。
【００８５】
図３、図４及び図９を参照して、取付け開口７０は、パネル７の前面７１に沿って第１ハウジング１を一方の方向に移動すると、一組の段差部１ｒ・１ｓが後面７２に当接する一組の凸部７１ｒ・７１ｓを有している。一組の凸部７１ｒ・７１ｓは、それぞれ、凹部７ｊ・７ｋに連続している。
【００８６】
図３及び図４を参照して、取付け開口７０は、パネル７の前面７１に沿って第１ハウジング１を一方の方向に移動すると、第１ランス１ｆの先端部を係止する係止片７１ｆを有している。係止片７１ｆは、凹部７ｆに連続する凸部になっている。
【００８７】
次に、本発明の第１実施形態によるコネクタ１０の作用を説明する。図１１は、板厚の厚いパネルのカットレイアウトを示す平面図であり、板厚の厚いパネルを後面側から観ている。図１２は、図１２に示された第１ハウジングを一方の方向に移動した状態図であり、第１ハウジングを背面側から観ている。図１３は、図１２に示された第１ハウジングを一方の方向に移動した状態図であり、第１ハウジングを背面側から観ている。
【００８８】
図１４は、板厚の薄いパネルのカットレイアウトを示す平面図であり、板厚の薄いパネルを後面側から観ている。図１５は、図１４に示された板厚の薄いパネルに第１ハウジングを挿入した状態図であり、第１ハウジングを背面側から観ている。図１６は、図１５に示された第１ハウジングを一方の方向に移動した状態図であり、第１ハウジングを背面側から観ている。
【００８９】
図１及び図１２を参照すると、第１ハウジング１の後部１２をパネル６の前面６１と略直交する方向から取付け開口６０に挿入すると、第１段差１ｅが取付け開口６０の前面６１の周縁に当接して、停止できる。そして、この状態では、第１ランス１ｆは、取付け開口６０の板厚面（凹部６ｆ）に対向している。
【００９０】
図１から図１０を参照すると、第１段差１ｅと複数の第１フランジ（端面１１ｇ・１１ｈ・１１ｊ・１１ｋ・１１ｍ）とは、取付け開口６０の周縁の両面を挟持しており、第１ハウジング１をパネル６の前面６１に沿って一方の方向に移動すると、第１ランス１ｆの先端部が係止片６１ｆに押し下げられて、係止片６１ｆを乗り越えていく（図１２参照）。
【００９１】
そして、図１３を参照すると、第１ランス１ｆの先端部が係止片６１ｆを完全に乗り越えて、第１ハウジング１が取付け開口６０の端面に当接して停止すると、第１ランス１ｆの先端部が復帰して、係止片６１ｆに係止するので、第１ハウジング１を他方の方向に移動困難に係止できる。つまり、第１ハウジング１をパネル６にロックできる。
【００９２】
図１３の状態から、第１ランス１ｆを押し下げると、第１ハウジング１を他方の方向に移動できる。つまり、パネル６とのロックを解除できる。
【００９３】
図３から図１０を参照すると、第１段差１ｅと複数の段差部１ｐ・１ｑ・１ｒ・１ｓとは、取付け開口７０の周縁の両面を挟持しており、第１ハウジング１をパネル７の前面７１に沿って一方の方向に移動すると、第１ランス１ｆの先端部が係止片７１ｆに押し下げられて、係止片７１ｆを乗り越えていく（図１５参照）。
【００９４】
そして、図１６を参照すると、第１ランス１ｆの先端部が係止片７１ｆを完全に乗り越えて、第１ハウジング１が取付け開口７０の端面に当接して停止すると、第１ランス１ｆの先端部が復帰して、係止片７１ｆに係止するので、第１ハウジング１を他方の方向に移動困難に係止できる。つまり、第１ハウジング１をパネル７にロックできる。
【００９５】
図１６の状態から、第１ランス１ｆを押し下げると、第１ハウジング１を他方の方向に移動できる。つまり、パネル７とのロックを解除できる。
【００９６】
このように、本発明の第１実施形態によるコネクタ１０は、従来のコネクタのように、その両翼に一対のロックアームを備えていないので、外形を小さくすることができる。
【００９７】
又、本発明の第１実施形態によるコネクタ１０は、第１ハウジング１をパネル６又はパネル７に係止するための第１ランス１ｆを相手側コネクタ（図示せず）の挿抜方向と直交する方向に配置することにより、第１ランス１ｆに負荷を与えることを防止できる。
【００９８】
更に、本発明の第１実施形態によるコネクタ１０は、第１ハウジング１の後部１２には、板厚の薄いパネル７に対応する階段状の複数の段差部１ｐ・１ｑ・１ｒ・１ｓを第１段差１ｅと複数の第１フランジ（端面１１ｇ・１１ｈ・１１ｊ・１１ｋ・１１ｍ）との間に有し、取付け開口７０を取付け開口６０と異ならせることにより、第１ハウジング１を板厚の薄いパネル７に取付けできる。
【００９９】
図１又は図２を参照すると、実施例では、板厚の厚いパネル６は、その板厚ｔ１を２ｍｍとした。又、図３又は図４を参照すると、実施例では、板厚の薄いパネル７は、その板厚ｔ２を１ｍｍとした。パネル６は、板厚ｔ１が１ｍｍを超え、２ｍｍ以下であってよく、第１ハウジング１の後部１２を取り付けることができる。パネル７は、板厚ｔ２が１ｍｍ以下であってよく、第１ハウジング１の後部１２を取り付けることができる。
【０１００】
板厚の厚いパネル６と板厚の薄いパネル７とは、相対的であってよく、パネル６の板厚ｔ１が３ｍｍであってもよく、パネル７の板厚ｔ２が２ｍｍであってもよい。又、本発明の第１実施形態によるコネクタ１０は、板厚の厚いパネル６と板厚の薄いパネル７とが共用される第１ハウジング１を開示したが、パネルの板厚に対応する階段状の段差部を更に追加して、３種類の板厚に対応する第１ハウジング１を提供することもできる。
【０１０１】
［第２実施形態］
次に、本発明の第２実施形態によるコネクタの構成を説明する。図１７は、本発明の第２又は第３実施形態による電気コネクタに備わる第２又は第３ハウジングの外観を示す斜視図であり、板厚の厚いパネルを対向配置した状態図である。
【０１０２】
図１８は、第２又は第３ハウジングの外観を示す斜視図であり、板厚の薄いパネルを対向配置した状態図である。図１９は、第２又は第３ハウジングの外観を略下面側から観た斜視図である。
【０１０３】
図１７を参照すると、本発明の第２実施形態によるコネクタ２０は、板厚の厚いパネル４の後面４２から前面４１に向けて取り付ける後面取付け形の第２ハウジング２を備えている。図１８を参照すると、第２ハウジング２は、板厚の薄いパネル５の後面５２から前面５１に向けて取り付けることもできる。
【０１０４】
図１７から図１９に示された第２ハウジング２は、その後部２２が第１ハウジング１の後部１２と同じに構成され、後述する第３ハウジング３の後部３２となっている。しかし、以下の第２実施形態の説明では、第２ハウジング２の後部２２の外壁が例えば、平坦（フラット）なものとして取り扱う。
【０１０５】
図１７を参照すると、パネル４は、矩形状の取付け開口４０を有している。取付け開口４０には、第２ハウジング２の前部２１がパネル４の後面４２と略直交する方向から挿入される。
【０１０６】
図１８を参照すると、パネル５は、矩形状の取付け開口５０を有している。取付け開口５０には、第２ハウジング２の前部２１がパネル５の後面５２と略直交する方向から挿入される。
【０１０７】
図１７を参照すると、第２ハウジング２の前部２１は、取付け開口４０の後面４２の周縁に当接する第２段差２ｅを有している。図１８を参照すると、第２段差２ｅは、取付け開口５０の後面５２の周縁に当接できる。
【０１０８】
図１７又は図１８を参照すると、第２ハウジング２の前部２１は、第２段差２ｅを境界としている。第２段差２ｅは、前部２１の外壁に対して、第２段差２ｅ以降の外壁が一段高いフランジを形成している。
【０１０９】
図１７を参照すると、第２ハウジング２の前部２１は、第２ランス２ｆを有している。第２ランス２ｆは、第２段差２ｅに隣接して配置されている。第２ランス２ｆの基端部は、第２ハウジング２の一方の外壁２ａと結合している。第２ハウジング２の先端部は、一方の外壁２ａと離間して、パネル４の後面４２と平行する方向に延びている。又、第２ランス２ｆの先端部は、一方の外壁２ａと離間して、パネル５の後面５２と平行する方向に延びている（図１８参照）。
【０１１０】
図１７又は図１８を参照すると、第２ハウジング２の一方の外壁２ａには、第２段差２ｅに向かって伸長する一組のリブ２ｇ・２ｈを設けている。一組のリブ２ｇ・２ｈは、それらの端面２１ｇ・２１ｈが第２段差２ｅに対向する第２フランジの一部を構成している。
【０１１１】
又、図１９を参照すると、第２ハウジング２の他方の外壁２ｂには、第２段差２ｅに向かって伸長する一組のリブ２ｊ・２ｋを設けている。一組のリブ２ｊ・２ｋは、それらの端面２１ｊ・２１ｋが第２段差２ｅに対向する第２フランジの一部を構成している。
【０１１２】
更に、図１７から図１９を参照すると、第２ハウジング２の一方の側壁２ｃには、外側に突出する一対の突片２ｍ・２ｎを設けている。一対の突片２ｍ・２ｎは、それらの端面２１ｍ・２１ｎが第２段差２ｅに対向する第２フランジの一部を構成している。
【０１１３】
図１７から図１９を参照すると、リブ２ｇ・２ｈ及びリブ２ｊ・２ｋ、及び一対の突片２ｍ・２ｎで構成された複数の第２フランジは、第２段差２ｅに対向しており、第２ハウジング２の周囲に断続して配置されている。
【０１１４】
図１７から図１９を参照すると、第２フランジの端面と第２段差２ｅの対向距離Ｓ１は、パネル４の板厚ｔ１より僅かに広くなっている。
【０１１５】
図１７を参照すると、取付け開口４０は、第２ランス２ｆが挿入される凹部４ｆを有している。又、取付け開口４０は、一組のリブ２ｇ・２ｈが挿入される凹部４ｇ・４ｈを有している。更に、取付け開口４０は、突片２ｍが挿入される凹部４ｍを有している。そして、これらの凹部４ｆ・４ｇ・４ｈ・４ｍは、パネル４の板厚面に向かって切り欠かれている。
【０１１６】
図１７及び図１９を参照すると、取付け開口４０は、一組のリブ２ｊ・２ｋが挿入される凹部４ｊ・４ｋを有している。又、取付け開口４０は、突片２ｎが挿入される凹部４ｎを有している。そして、これらの凹部４ｊ・４ｋ・４ｎは、パネル６の板厚面に向かって切り欠かれている。
【０１１７】
図１７を参照して、取付け開口４０は、パネル４の後面４２に沿って第２ハウジング２を一方の方向に移動すると、一組のリブ２ｇ・２ｈの端面２１ｇ・２１ｈが前面４１に当接する一組の凸部４１ｇ・４１ｈを有している。凸部４１ｇ・４１ｈは、それぞれ、凹部４ｇ・４ｈに連続している。
【０１１８】
図１７を参照して、取付け開口４０は、パネル４の後面４２に沿って第２ハウジング２を一方の方向に移動すると、突片２ｍの端面２１ｍが前面４１に当接する凸部４１ｍを有している。凸部４１ｍは、凹部４ｍに連続している。
【０１１９】
図１７及び図１９を参照して、取付け開口４０は、パネル４の後面４２に沿って第２ハウジング２を一方の方向に移動すると、一組のリブ２ｊ・２ｋの端面２１ｊ・２１ｋが後面４２に当接する一組の凸部４１ｊ・４１ｋを有している。凸部４１ｊ・４１ｋは、それぞれ、凹部４ｇ・４ｈに連続している。
【０１２０】
図１７及び図１９を参照して、取付け開口４０は、パネル４の後面４２に沿って第２ハウジング２を一方の方向に移動すると、突片２ｎの端面２１ｎが前面４１に当接する凸部４１ｎを有している。凸部４１ｎは、凹部４ｎに連続している。
【０１２１】
図１７を参照して、取付け開口４０は、パネル４の後面４２に沿って第２ハウジング２を一方の方向に移動すると、第２ランス２ｆの先端部を係止する係止片４１ｆを有している。係止片４１ｆは、凹部４ｆに連続する凸部になっている。
【０１２２】
図１８及び図１９を参照すると、第２ハウジング２の前部２１は、板厚の薄いパネル５に対応する一組の段差部２ｐ・２ｑを有している。段差部２ｐは、リブ２ｇの端面２１ｇより階段状に一段低くなっている。段差部２ｑは、突片２ｍの端面２１ｍより階段状に一段低くなっている。
【０１２３】
図１８を参照すると、一組の段差部２ｐ・２ｑは、第２段差２ｅに対向している。一組の段差部２ｐ・２ｑと第２段差２ｅの対向距離Ｓ２は、パネル５の板厚ｔ２より僅かに広くなっている（図１７参照）。
【０１２４】
図１８及び図１９を参照すると、第２ハウジング２の前部２１は、板厚の薄いパネル５に対応する一組の段差部２ｒ・２ｓを有している。段差部２ｒは、リブ２ｊの端面２１ｊより階段状に一段低くなっている。段差部２ｓは、突片２ｎの端面２１ｎより階段状に一段低くなっている。
【０１２５】
図１９を参照すると、一組の段差部２ｒ・２ｓは、第２段差２ｅに対向している。一組の段差部２ｒ・２ｓと第２段差２ｅの対向距離Ｓ２は、パネル５の板厚ｔ２より僅かに広くなっている（図１７又は図１８参照）。
【０１２６】
図１８を参照すると、取付け開口５０は、第２ランス２ｆが挿入される凹部５ｆを有している。又、取付け開口５０は、一組のリブ２ｇ・２ｈが挿入される凹部５ｇ・５ｈを有している。そして、これらの凹部５ｆ・５ｇ・５ｈは、パネル５の板厚面に向かって切り欠かれている。
【０１２７】
図１８を参照して、取付け開口５０は、パネル５の後面５２に沿って第２ハウジング２を一方の方向に移動すると、一組の段差部２ｐ・２ｑが前面５１に当接する一組の凸部５１ｐ・５１ｑを有している。一組の凸部５１ｐ・５１ｑは、それぞれ、凹部５ｇ・５ｈに連続している。
【０１２８】
図１８及び図１９を参照すると、取付け開口５０は、一組のリブ２ｊ・２ｋが挿入される凹部５ｊ・５ｋを有している。又、取付け開口５０は、一対の突片２ｍ・２ｎが挿入される凹部５ｍ・５ｎを有している。そして、これらの凹部５ｊ・５ｋ・５ｍ・５ｎは、パネル５の板厚面に向かって切り欠かれている。
【０１２９】
図１８及び図１９を参照して、取付け開口５０は、パネル５の後面５２に沿って第２ハウジング２を一方の方向に移動すると、段差部２ｒ・２ｓが前面５１に当接する一組の凸部５１ｒ・５１ｓを有している。一組の凸部５１ｒ・５１ｓは、それぞれ、凹部５ｊ・５ｎに連続している。
【０１３０】
図１８を参照して、取付け開口５０は、パネル５の後面５２に沿って第２ハウジング２を一方の方向に移動すると、第２ランス２ｆの先端部を係止する係止片５１ｆを有している。係止片５１ｆは、凹部５ｆに連続する凸部になっている。
【０１３１】
次に、本発明の第２実施形態によるコネクタ２０の作用を説明する。
【０１３２】
図１７及び図１９を参照すると、第２ハウジング２の前部２１をパネル４の後面４２と略直交する方向から取付け開口４０に挿入すると、第２段差２ｅが取付け開口４０の後面４２の周縁に当接して、停止できる。そして、この状態では、第２ランス２ｆは、取付け開口４０の板厚面（凹部４ｆ）に対向している。
【０１３３】
図１７又は図１９を参照すると、第２段差２ｅと複数の第２フランジ（端面２１ｇ・２１ｈ・２１ｊ・２１ｋ・２１ｍ・２１ｎ）とは、取付け開口４０の周縁の両面を挟持しており、第２ハウジング２をパネル４の後面４２に沿って一方の方向に移動すると、第２ランス２ｆの先端部が係止片４１ｆに押し下げられて、係止片４１ｆを乗り越えていく。
【０１３４】
図１７を参照すると、第２ランス２ｆの先端部が係止片４１ｆを完全に乗り越えて、第２ハウジング２が取付け開口４０の端面に当接して停止すると、第２ランス２ｆの先端部が復帰して、係止片４１ｆに係止するので、第２ハウジング２を他方の方向に移動困難に係止できる。つまり、第２ハウジング２をパネル４にロックできる。
【０１３５】
一方、第２ランス２ｆを押し下げると、第２ハウジング２を他方の方向に移動できる。つまり、パネル４とのロックを解除できる。
【０１３６】
図１８及び図１９を参照すると、第２段差２ｅと複数の段差部２ｐ・２ｑ・２ｒ・２ｓとは、取付け開口５０の周縁の両面を挟持しており、第２ハウジング２をパネル５の後面５２に沿って一方の方向に移動すると、第２ランス２ｆの先端部が係止片５１ｆに押し下げられて、係止片５１ｆを乗り越えていく。
【０１３７】
そして、図１８を参照すると、第２ランス２ｆの先端部が係止片５１ｆを完全に乗り越えて、第２ハウジング２が取付け開口５０の端面に当接して停止すると、第２ランス２ｆの先端部が復帰して、係止片５１ｆに係止するので、第２ハウジング２を他方の方向に移動困難に係止できる。つまり、第２ハウジング２をパネル５にロックできる。
【０１３８】
一方、第２ランス２ｆを押し下げると、第２ハウジング２を他方の方向に移動できる。つまり、パネル５とのロックを解除できる。
【０１３９】
このように、本発明の第２実施形態によるコネクタ２０は、従来のコネクタのように、その両翼に一対のロックアームを備えていないので、外形を小さくすることができる。
【０１４０】
又、本発明の第２実施形態によるコネクタ２０は、第２ハウジング２をパネル４又はパネル５に係止するための第２ランス２ｆを相手側コネクタ（図示せず）の挿抜方向と直交する方向に配置することにより、第２ランス２ｆに負荷を与えることを防止できる。
【０１４１】
更に、本発明の第２実施形態によるコネクタ２０は、第２ハウジング２の前部２１には、板厚の薄いパネル５に対応する階段状の複数の段差部２ｐ・２ｑ・２ｒ・２ｓを第２段差２ｅと複数の第２フランジ（端面２１ｇ・２１ｈ・２１ｊ・２１ｋ・２１ｍ・２１ｎ）との間に有し、取付け開口５０を取付け開口４０と異ならせることにより、第２ハウジング２を板厚の薄いパネル５に取付けできる。
【０１４２】
図１７を参照すると、実施例では、板厚の厚いパネル４は、その板厚ｔ１を２ｍｍとした。又、図１８を参照すると、実施例では、板厚の薄いパネル５は、その板厚ｔ２を１ｍｍとした。パネル４は、板厚ｔ１が１ｍｍを超え、２ｍｍ以下であってよく、第２ハウジング２の前部２１を取り付けることができる。パネル５は、板厚ｔ２が１ｍｍ以下であってよく、第２ハウジング２の前部２１を取り付けることができる。
【０１４３】
板厚の厚いパネル４と板厚の薄いパネル５とは、相対的であってよく、パネル４の板厚ｔ１が３ｍｍであってもよく、パネル５の板厚ｔ２が２ｍｍであってもよい。又、本発明の第２実施形態によるコネクタ２０は、板厚の厚いパネル４と板厚の薄いパネル４とが共用される第２ハウジング２を開示したが、パネルの板厚に対応する階段状の段差部を更に追加して、３種類の板厚に対応する第２ハウジング２を提供することもできる。
【０１４４】
［第３実施形態］
次に、本発明の第３実施形態によるコネクタの構成及び作用を説明する。
【０１４５】
図１又は図２及び図１７を参照すると、本発明の第３実施形態によるコネクタ３０は、板厚の厚いパネル６の前面６１に取り付ける前面取付け形の第３ハウジング３を備えている。図３又は図４及び図１７を参照すると、第３ハウジング３は、板厚の薄いパネル７の前面７１に取り付けることもできる。
【０１４６】
図１７を参照すると、本発明の第３実施形態によるコネクタ３０は、板厚の厚いパネル４の後面４２から前面４１に向けて取り付ける後面取付け形の第３ハウジング３を備えている。図１８を参照すると、第３ハウジング３は、板厚の薄いパネル５の後面５２から前面５１に向けて取り付けることもできる。
【０１４７】
図１７から図１９に示された第３ハウジング３は、その後部３２が第１ハウジング１の後部１２と同じに構成されている。又、第３ハウジング３は、その前部３１が第２ハウジング２の前部２１と同じに構成されている。
【０１４８】
本発明の第３実施形態によるコネクタ３０は、第３ハウジング３がパネル６又はパネル７の前面（外側）に取付けられてもよく、第３ハウジング３がパネル４又はパネル５の後面（内側）に取付けられてもよく、パネルへの取付け方向が限定されないというメリットがある。
【０１４９】
又、本発明の第３実施形態によるコネクタ３０は、パネルの板厚に対応して、取付け開口の開口形状を異ならせることにより、板厚の異なるパネルに対して第３ハウジング３を共用できる。
【０１５０】
次に、第１から第３実施形態によるコネクタ１０・２０・３０は、パネル４から７に対して、第１から第３ハウジング１・２・３を移動困難に保持するブロックキー１００を備えている。
【０１５１】
図２を参照すると、ブロックキー１００は、取付け開口６０の端部に一部１０１が挿入される。取付け開口６０の端部は、凸字状に開口しており、第１ハウジング１の他方の側壁１ｄに沿って、ブロックキー１００が取付け開口６０の端部に挿入されることにより、パネル６に対してコネクタ１０を確実に保持できる。
【０１５２】
図４を参照すると、ブロックキー１００は、取付け開口７０の端部に一部１０１が挿入される。取付け開口７０の端部は、凸字状に開口しており、第１ハウジング１の他方の側壁１ｄに沿って、ブロックキー１００が取付け開口７０の端部に挿入されることにより、パネル７に対してコネクタ１０を確実に保持できる。
【０１５３】
図１７を参照すると、ブロックキー１００は、取付け開口４０の端部に一部１０１が挿入される。取付け開口４０の端部は、凸字状に開口しており、第２ハウジング２の他方の側壁２ｄに沿って、ブロックキー１００が取付け開口４０の端部に挿入されることにより、パネル４に対してコネクタ２０を確実に保持できる。
【０１５４】
図１８を参照すると、ブロックキー１００は、取付け開口５０の端部に一部１０１が挿入される。取付け開口５０の端部は、凸字状に開口しており、第２ハウジング２の他方の側壁２ｄに沿って、ブロックキー１００が取付け開口５０の端部に挿入されることにより、パネル５に対してコネクタ２０を確実に保持できる。
【符号の説明】
【０１５５】
１  第１ハウジング
１ａ  外壁（一方の外壁）
１ｅ  第１段差
１ｆ  第１ランス
１ｇ・１ｈ・１ｊ・１ｋ  リブ（第１フランジ）
１ｍ  突片（第１フランジ）
６  パネル
６ｆ・６ｇ・６ｈ・６ｊ・６ｋ・６ｍ  凹部
１０  コネクタ（電気コネクタ）
１２  後部（第１ハウジングの後部）
６０  取付け開口
６１  前面（パネルの前面）
６１ｆ  係止片
６１ｇ・６１ｈ・６１ｊ・６１ｋ・６１ｍ  凸部
６２  後面（パネルの後面）
【図１】
2010231905.tif 000003
【図２】
2010231905.tif 000004
【図３】
2010231905.tif 000005
【図４】
2010231905.tif 000006
【図５】
2010231905.tif 000007
【図６】
2010231905.tif 000008
【図７】
2010231905.tif 000009
【図８】
2010231905.tif 000010
【図９】
2010231905.tif 000011
【図１０】
2010231905.tif 000012
【図１１】
2010231905.tif 000013
【図１２】
2010231905.tif 000014
【図１３】
2010231905.tif 000015
【図１４】
2010231905.tif 000016
【図１５】
2010231905.tif 000017
【図１６】
2010231905.tif 000018
【図１７】
2010231905.tif 000019
【図１８】
2010231905.tif 000020
【図１９】
2010231905.tif 000021
【図２０】
2010231905.tif 000022